(57)【要約】【課題】    着脱が容易で、多種の梯子に対応でき、安全性に不安がなく、幅の狭い梯子でも、スペースを広く確保できる梯子用補助ステップの提供。【解決手段】    本発明に関わる梯子用補助ステップは、踏板１と、吊具２と、振止具３と、外止具４とが、一体に組み付けられている。踏板１は、略長方形平面板部１１と張出部１２を備えている。吊具２は、頭部２１と足部２２とを有している。頭部２１は、逆Ｕ字形状であり、円弧形状部２２１と延長部２２２とＵ字空間部２２３とを有している。足部２２は、下端が踏板１の張出部２１に接合されている。振止具３は、２本一対の突起３１と空間部３２を有している。外止具４は、回転軸５を中心にして回転自在な状態にあり、ストッパ部４２が、外止具４の回転移動範囲を制限している。【選択図】図４
2010077788.tif 000002
【特許請求の範囲】
【請求項１】
踏板と、吊具と、振止具と、外止具とを含む梯子用補助ステップであって、
前記踏板と、前記吊具と、前記振止具と、前記外止具とは、一体に組み付けられており、
前記踏板は、略長方形平面板部を有し、後方の左右に張出部を備えており、
前記吊具は、頭部と、足部とを有し、前記踏板のほぼ内側上面に左右一対で設けられており、
前記頭部は、逆Ｕ字形状で、円弧形状部と、延長部と、Ｕ字空間部とを有しており、
前記延長部は、前記円弧形状部の端から下方に向かって延長し、前後に位置した２本で一対を成し、その間に下方及び左右が開いたＵ字空間部を形成しており、
前記足部は、上端が前記頭部の下端近傍に連なっていて、下端が前記踏板の前記張出部に接合されており、
前記振止具は、前記踏板の下面から下方に向かって延長した前後に位置して２本一対の突起と、下方及び左右が開いた空間部とを有しており、
前記外止具は、回転中心孔とストッパ部と、上面部とを備えており、
前記回転中心孔は、前記頭部の前記延長部の下端近傍に打ち込まれた回転軸が貫通していて、前記外止具が、前記回転軸を中心にして、回転自在な状態に、組付けられており、
前記ストッパ部は、前記外止具が、前記回転軸より上の部分を通過して前記頭部の前記Ｕ字空間部の方向に回転したとき、前記上面部と、前記延長部の前記回転軸より上の部分とが成す角度を、約１２０°を超えない範囲内に制限している
梯子用補助ステップ。
【請求項２】
請求項１に記載した梯子用補助ステップであって、
前記踏板と、前記吊具と、前記振止具の材質は、アルミ合金であり、
前記踏板と、前記吊具及び前記振止具の組付けは、接合部分が溶接によって固着されている
梯子用補助ステップ。
【発明の詳細な説明】
【技術分野】
【０００１】  建築現場、及び、家庭内作業用の梯子に関する。
【背景技術】
【０００２】  建築現場や家庭内作業で、軒天など、手の届かないところでの作業には、梯子や脚立を用いる。ところで、梯子は上り下りするのには便利ではあるが、梯子に乗って作業をするのには多少不安定である。特に、複数の工具を使用する場合や、材料を持っての作業には、その置き場所に困る。【０００３】  そこで、梯子に補助ステップを取り付けたものがある。この従来の補助ステップは、梯子の両サイドの支柱や、足を掛ける踏み桟に、ネジやボルトで固定するようになっている。使用者にとっては、この固定する作業がわずらわしい。
また、固定作業時にネジ締め不十分が生じるなどの危険性や、締め付けネジの脱落の危険性などもある。
また、梯子のサイズが多種類あって、支柱の間隔や見込み寸法、踏み桟の間隔は一定では無く、部位によって異なるが、間隔の開きが４０ｍｍから７０ｍｍ程度ある。また一方、踏み桟も、形状が角や、丸、楕円、半円形など多様である。従来では、ある一種類の補助ステップで取り付く梯子の種類は特定されていて、補助ステップも多種類必要となっている。
さらに、従来の補助ステップは、補助ステップの踏板の左右幅が、梯子の支柱間の内法幅より小さめであり、取付用の部品でスペースも取られ、幅の狭い梯子に取り付けると、両足を乗せて作業をするには、狭すぎる。
これらが、補助ステップが市場であまり流通しない理由と目されている。
【発明の開示】
【発明が解決しようとする課題】
【０００４】  本発明の課題は、使用者が、手間を掛けずに、容易に、取り付け、取り外しができる補助ステップを提供することである。
本発明のもう一つの課題は、一種類で、種々のサイズの梯子に対応できる補助ステップを提供することである。
本発明のさらに、もう一つの課題は、使用時の安全性に不安がない補助ステップを提供することである。
本発明のまたさらに、もう一つの課題は、幅の狭い梯子でも、作業時のスペースを広く確保できる補助ステップを提供することである。
【課題を解決するための手段】
【０００５】  上述した課題を解決するため、本発明に関わる梯子用補助ステップは、踏板と、吊具と、振止具と、外止具とを含む。踏板と、吊具と、振止具と、外止具とは、一体に組み付けられている。踏板は、略長方形平面板部を有し、後方の左右に張出部を備えている。吊具は、頭部を有している。吊具は、足部を有している。吊具は、踏板のほぼ内側上面に左右一対で設けられている。頭部は、逆Ｕ字形状であり、円弧形状部を有している。頭部は、逆Ｕ字形状で、円弧形状部と、延長部と、Ｕ字空間部とを有している。延長部は、円弧形状部の端から下方に向かって延長し、前後に位置した２本で一対を成している。２本で一対を成した延長部の間に、下方及び左右が開いたＵ字空間部を形成している。足部は、上端が頭部の下端近傍に連なっていて、下端が踏板の張出部に接合されている。振止具は、踏板の下面から下方に向かって延長した、前後に位置して２本一対の突起を有している。振止具は、下方及び左右が開いた空間部を有している。外止具は、回転中心孔とストッパ部を有している。外止具は、上面部を備えている。回転中心孔は、頭部の下端近傍に打ち込まれた回転軸が貫通している。外止具は、回転軸を中心にして回転自在な状態に、組み付けられている。ストッパ部は、外止具が、回転軸より上の部分を通過して、頭部のＵ字空間部の方向に回転したとき、上面部と、延長部の回転軸より上の部分とが成す角度を、約１２０°を超えない範囲内に制限している。【０００６】  本発明に関わる梯子用補助ステップに付いて、機能を中心に以下説明する。
本発明に関わる梯子用補助ステップを、梯子に取り付ける際には、吊具のＵ字空間部を、梯子の上に位置する踏み桟に引っ掛け、また、振止具の空間部を、下に位置する踏み桟に跨がせるだけで、取り付けが一応完了である。上に位置する踏み桟は、頭部の下方及び左右が開いたＵ字空間部の中に、また、下に位置する踏み桟は、振止具の下方及び左右が開いた空間部の中に、それぞれ収めることができる。
次に、回転自在な状態に組み付けられた外止具を、後下方向に回転移動することにより、上に位置する梯子の踏み桟を、頭部の逆Ｕ字形状と外止具との間に封じこめることができる。また、ストッパ部が、外止具の回転移動範囲を制限しているので、梯子の踏み桟は、外れることがない。【０００７】  梯子用補助ステップを梯子に取り付ける際のネジ止めや、ナット掛けなどの必要がなく、取り付けは、手間を掛けずに、容易に行うことができる。
したがって、梯子用補助ステップの取り付けは、梯子を地上に倒した状態ではなく、梯子を立掛けた状態であっても、容易に行うことができる。
さらには、回転自在な外止具を上に回転移動することにより、梯子の踏み桟は、外止具が解除される。そこで、梯子用補助ステップを持ち上げて、梯子から外すことができる。
したがって、梯子用補助ステップを取り付けた位置を変えたければ、梯子を立掛けた状態のままで、梯子用補助ステップを移動することも容易にできる。【０００８】  一般的に、梯子を立掛けたときの傾斜は、水平面に対し７５°以下の角度で使用するように言われている。
また、梯子の踏み桟の上下間隔、および、２本の支柱の左右間隔は、梯子の種類によって異なる。部位によって異なるが、間隔の開きは、おおよそ、４０ｍｍから７０ｍｍ程度はある。
また、踏み桟の断面形状は、丸、半円、長方形、あるいは台形など多様である。
本発明に係る梯子用補助ステップは、この梯子の種々の異なるサイズに対して、１種類の梯子用補助ステップで対応しようとするものである。【０００９】  本発明に係る梯子用補助ステップは、吊具の円弧形状部の内側上部と、振止具の突起の上端との間の寸法を設定するに当たっては、対象とする梯子のうち、踏み桟の上下位置間隔の最も短い寸法のものより若干短めに設定する。一方、吊具の円弧形状部の内側上部と、振止具の突起の下端との間の寸法は、踏み桟の上下位置間隔の最も長いものの外法寸法より若干長めに設定する。
このような設定が可能なので、踏み桟の上下位置間隔の大小への対応が、単に、設計上の寸法設定のみで解決でき、一種類で、種々のサイズの梯子に対応できる。
梯子用補助ステップを梯子に取り付けると、梯子用補助ステップは、吊具の円弧形状部が踏み桟に乗った状態で、吊り下げられた状態になっている。一方、振止具は、頭部の後方に位置する延長部の内側面と、梯子の踏み桟の側面とが擦りあった状態になっている。
このような状態は、踏み桟の上下位置間隔が、大きい場合でも、小さい場合でも変わらない。したがって、梯子用補助ステップは、このような取付状態で、踏み桟の上下位置間隔の大小にかかわらず、安全に使用できる。【００１０】  また、略長方形平面板部の左右間幅寸法を設定するに当たっては、対象とする梯子のうち、支柱の内法寸法の最も小さい種類に合わせて設計寸法を設定する。一方、左右の張出部の左右幅寸法を設定するに当たっては、対象とする梯子のうち、支柱の外法寸法の最も大きい種類に合わせて設定する。
このような設定が可能なので、この梯子用補助ステップは、梯子支柱の左右間幅寸法の大小にかかわらず、取り付けることができる。したがって、一種類の梯子用補助ステップで、種々のサイズの梯子に対応できる。
支柱の内法寸法間隔の大小への対応が、単に、当初の、設計上の寸法設定のみで解決できるのである。【００１１】  また、頭部の下方及び左右が開いたＵ字空間部の寸法を設定するに当たっては、対象とする梯子のうち、最も大きい断面サイズの踏み桟が入るように設定する。
踏み桟の断面形状が、丸、半円、長方形、あるいは台形のいずれであっても、吊具の上部は、円弧形状であり、踏み桟との加重接点が安定しており、梯子用補助ステップが安定して吊り下がることになる。
したがって、踏み桟の多種の断面形状への対応が、単に、設計上の寸法設定のみで解決でき、一種類で、種々のサイズの梯子に対応できる。【００１２】  本発明に関わる梯子用補助ステップは、踏板と、吊具と、振止具と、外止具とを含み、一体に組み付けられている。
したがって、本発明に関わる梯子用補助ステップは、使用者の手に渡る前に、一体に組み付けられていて、使用者が組付ける部分はない。
また、梯子用補助ステップを梯子に取り付ける際には、吊具の頭部を、梯子の上に位置する踏み桟に引っ掛け、また、振止具を、下に位置する踏み桟に跨がせるだけで、取り付けが一応完了である。次に、外止具を下に回転移動することにより、踏み桟を、頭部の逆Ｕ字形状と外止具との間に封じこめることができる。したがって、本発明に関わる梯子用補助ステップは、梯子に取り付ける際にも使用者が、ネジ止め、ボルトナット締めなどを行う必要はない。
以上のように、本発明に関わる梯子用補助ステップは、使用者によるネジ止め、ボルトナット締めが不要である。
したがって、使用者による、ネジ止め、ボルトナット締め時の締め忘れや、締め付け不十分が発生せず、使用時の安全性に不安がなく、作業を進めることができる。【００１３】  踏板は、略長方形平面板部を有し、後方の左右に張出部を備えている。足部は、下端が踏板の張出部に接合されている。
踏板に足をかけて作業する場合に、足を掛けられる幅は、足部が踏板の張出部に接合されている際まで利用できる。したがって、支柱間の内法幅が狭い梯子であっても、内法幅より広いスペースが確保できる。
【発明の効果】
【００１４】本発明に係る梯子用補助ステップは、以下に示す効果を有している。
１  使用者が、手間を掛けずに、容易に取り付け、取り外しができる。
２  一種類の梯子用補助ステップで、種々のサイズの梯子に対応できる。
３  使用時の安全性に不安がなく、作業を進めることができる。
４  幅の狭い梯子でも、作業時のスペースを広く確保できる。
【発明を実施するための最良の形態】
【００１５】  図１は、本発明に係る梯子用補助ステップの背面図である。図２は、図１に示した梯子用補助ステップの下面図である。図３は、図１に示した梯子用補助ステップの上面図である。図４は、図１に示した梯子用補助ステップの側面図である。
図面に付した参照符号で、９１は梯子用補助ステップの前方を、９２は後方を、９３は上方を、９４は下方を、９５、９６は左右方向のそれぞれ示す。【００１６】  本発明に関わる梯子用補助ステップは、踏板１と、吊具２と、振止具３と、外止具４とを含み、一体に組み付けられている。
踏板１は、略長方形平面板部１１を有し、後方の左右に張出部１２を備えている。さらに、強度補強用のリブ１３を有している。
踏板１は、鋼板、アルミ合金板などを使用して加工する。また、滑り止めを目的として、縞模様を打ち出した縞板を用いてもよい。【００１７】  吊具２は、頭部２１と足部２２を有していて、踏板１のほぼ内側上面に左右一対で設けられている。また、吊具２は、支持足部２３を有している。
吊具２は、鋼棒またはアルミ棒など、棒状材を成形したものである。
頭部２１は、逆Ｕ字形状であり、円弧形状部２１１と、延長部２１２と、Ｕ字空間部２１３とを有している。延長部２１２は、円弧形状部２１１の端から下方に向かって延長し、前後に位置した２本で一対を成している。２本で一対を成した延長部２１２の間に、下方及び左右が開いたＵ字空間部２１３を形成している。足部２２は、上端が頭部２１の下端近傍に連なっていて、足部２２の足上部２２１が張出部１２方向に傾斜していて、足下部２２２が踏板１にほぼ直角を成して、下端が踏板１の張出部１２に接合されている。
また、支持足部２３は、上端が頭部２１の下端近傍に連なっていて、下端が踏板の略長方形平面板部１１の前方に接合されている。踏板１と、足部２２又は支持足部２３との接合は、踏板１設けた貫通孔に差し込み、溶接する。また、図示しないが、足部２２及び支持足部２３の下端にネジを切り、ナット掛けしてもよい。【００１８】  振止具３は、踏板の下面から下方に向かって延長した、前後に位置して２本一対の突起３１を有している。振止具３は、下方及び左右が開いた空間部３２を有している。前後に位置して２本一対の突起３１で、後に位置する突起３１が前に位置する突起３１より長いのは、取り付け時の作業性がよいことによる。
振止具３は、鋼棒またはアルミ棒など、棒状材を成形したものである。振止具３は、下向きコ字形で、左右に位置して２個で１対となっているが、棒状材ではなく、図示しないが、板材で左右に長い１個を、踏板１の中央に取り付けてもよい。踏板１と振止具３の接合は、接触部分を溶接する。または、踏板１に穴を設け、振止具３を貫通するネジ止めでもよい。また、踏板１に貫通孔を設け、コ字形ではなく、突起３１を別々に貫通孔に差し込み、溶接してもよい。【００１９】  図５は、図４に示した梯子用補助ステップで、外止具を主とした部分を拡大した図である。図６は、図５に示した外止具を主とした部分の下面図である。図７は、図５に示した外止具を主とした部分の側面図である。図１、２、３、又は４に現れた構成部分と同一の構成部分については、同一の参照符号を付してある。
外止具４は、回転中心孔４１とストッパ部４２を有し、上面部４３備えている。回転中心孔４１には、頭部２１の延長部２１２の下端近傍に打ち込まれた回転軸５が貫通している。外止具４は、回転軸５を中心にして回転自在な状態に、組み付けられている。
ストッパ部４２は、外止具４が、頭部２１の延長部２１２の、回転軸５より上の部分を通過して、Ｕ字空間部２１３の方向に回転したとき、閉ストッパ部４２１が、延長部２１２の回転軸５より下の部分に当たって回転が止まる。ストッパ部４２は、外止具４が、上面部４３と、延長部２１２の回転軸５より上の部分とが成す角度７０を、約１２０°を超えない範囲内に制限している。【００２０】  外止具４の上面部４２と、延長部２１２の回転軸５より上の部分とが成す角度７０は、図示上で、約９０°であるが、上面部４３が後下方向に傾斜していて、角度７０が約１２０°であっても実用上問題はない。
また、外止具４は、頭部２１の前後に位置した２本で一対を成している、延長部２１２のうち、前方の延長部２１２又は後方の延長部２１２のいずれか一方に設ければよい。図においては、前に位置した延長部２１２の例を示している。
また、閉ストッパ４２１は、図示しないが、外止具４の上面部４２近傍に、延長部２１２の前方に位置して、左右方向に貫通するピンなどを立てて、閉ストッパとしてもよい。【００２１】  図８は、図５に示した外止具の、回転状態を説明するための、一部破断面を含む図である。本発明に関わる梯子用補助ステップの機能を中心に以下説明する。図４、５、６、又は７に現れた構成部分と同一の構成部分については、同一の参照符号を付してある。
さらに、ストッパ部４２は、開ストッパ部４２２とを備えていて、２点鎖線で図示した外止具４を、頭部２１の前方に位置する延長部２１２方向に回転すると、開ストッパ部４２２が延長部２１２に当たって回転が止まる。開ストッパ部４２２がない場合は、外止具４が、さらに回転して、前方に位置する延長部２１２の下方にぶら下がることになり、作業性は悪くなるが、機能上は問題がない。【００２２】  図９は、本発明に係る梯子用補助ステップの、踏み桟の間隔が小さい梯子への取付を説明する、側面図である。図１０は、本発明に係る梯子用補助ステップの、踏み桟の間隔が大きい梯子への取付を説明する、側面図である。図４、５又は８に現れた構成部分と同一の構成部分については、同一の参照符号を付してある。図において、参照符号８１、８５は梯子の支柱を、参照符号８２、８６は上に位置する踏み桟を、符号８３、８７は下に位置する踏み桟をそれぞれ示す。【００２３】  梯子用補助ステップを梯子に取り付ける際には、吊具２のＵ字空間部２１３を、梯子の上に位置する踏み桟８２、８６に引っ掛け、また、振止具３の空間部３２を、下に位置する踏み桟８３、８７に跨がせるだけで、取り付けが一応完了である。上に位置する踏み桟８２、８６は、頭部２１のＵ字空間部２１３の中に、また、下に位置する踏み桟８３、８７は、振止具３の空間部３２の中に、それぞれ収めることができる。
次に、回転自在な状態に組み付けられた、外止具４を後下方に回転移動することにより、梯子の踏み桟８２、８６を、頭部２１のＵＵ字空間部２１３と外止具４との間に封じこめることができる。また、ストッパ部４２が、外止具４の回転移動範囲を制限しているので、梯子の踏み桟８２、８６は、外れることがない。【００２４】  梯子用補助ステップは、梯子に取り付ける際のネジ止めや、ナット掛けなどの必要がなく、取り付けが、手間を掛けずに、容易に行うことができる。
したがって、梯子用補助ステップの取り付けは、梯子を地上に倒した状態ではなく、梯子を立掛けた状態であっても、容易に行うことができる。
さらには、図８に示したように、回転自在な外止具４を前上方向に回転移動することにより、梯子の踏み桟８２、８６は、外止具４が解除される。そこで、梯子用補助ステップを持ち上げて、梯子から外すことができる。
したがって、梯子用補助ステップを取り付けた位置を変えたければ、梯子を立掛けた状態のままで、梯子用補助ステップを移動することも容易にできる。【００２５】  一般的に、梯子を立掛けたときの傾斜角度７８は、水平面９７に対し７５°以下の角度で使用するように言われている。
また、梯子の踏み桟の上下間隔および、２本の支柱の左右間隔は、梯子の種類によって異なる。間隔の開きは、部位によって異なるが、おおよそ、４０ｍｍから７０ｍｍ程度はある。
また、踏み桟の断面形状は、丸、半円、長方形、あるいは台形など多様である。【００２６】  本発明に係る梯子用補助ステップは、吊具２の円弧形状部２１１の内側上部２１４と、振止具３の突起３１の上端３１１との間の寸法７４を設定するに当たっては、対象とする梯子のうち、踏み桟８６、８７の上下位置間隔の最も短い寸法７１のものより若干短めに設定する。一方、吊具２の円弧形状部２１１の内側上部２１４と、振止具３の突起３１の下端３１２との間の寸法７５を設定するに当たっては、踏み桟の上下位置間隔の最も長い外法寸法７３より若干長めに設定する。【００２７】  梯子用補助ステップを梯子に取り付けると、梯子用補助ステップは、吊具２の円弧形状部２１１が踏み桟８２、８６に乗った状態で、吊り下げられた状態になっている。一方、振止具３は、後ろに位置する突起３１の内側面３１２と、梯子の踏み桟８３、８７の後側面とが擦りあった状態になっている。
このような取り付け状態は、上下位置間隔の最も長い寸法７２の場合でも、上下位置間隔の最も短い寸法７１の場合でも変わらない。【００２８】  図１１は、本発明に係る梯子用補助ステップを、支柱の間隔が小さい梯子に取り付けた上面図である。図１２は、本発明に係る梯子用補助ステップを、支柱の間隔が大きい梯子に取り付けた、上面図である。図１、２、３、又は４に現れた構成部分と同一の構成部分については、同一の参照符号を付してある。
図において、参照符号８１、８２、８５、８６は梯子の支柱及び上に位置する踏み桟のいずれかを示す。【００２９】  また、略長方形平面板部１１の左右間幅の寸法１１１を設定するに当たっては、対象とする梯子のうち、図１１に示すように、支柱８５の左右間内法寸法の最も小さい寸法７６よりやや小さめに寸法を設定する。一方、左右の張出部１２の左右外法幅寸法１２１を設定するに当たっては、対象とする梯子のうち、図１２に示すように、支柱の外法寸法の最も大きい寸法７７よりやや大きめに寸法を設定する。
このような設定が可能なので、梯子用補助ステップは、梯子の支柱の左右間幅寸法７６、７７の大小にかかわらず、取り付けることができ、一種類の梯子用補助ステップで、種々のサイズの梯子に対応できる。【００３０】  図９、図１０に示すように、頭部２１の下方及び左右が開いたＵ字空間部２１３の前後方向の寸法は、対象とする梯子のうち、最も大きい断面サイズの踏み桟が入るように設定する。図９では、踏み桟８６の断面形状が、丸形で、幅が狭い例として示してある。図１０では、踏み桟８２の断面形状が、上部が平面である半円形で、幅が広い例として示してある。
踏み桟の断面形状が、丸、半円、その他、長方形あるいは台形のいずれであっても、吊具２の円弧形状部２１１が円弧形状なので、踏み桟８２，８６との接触面である加重接点が常に安定しており、梯子用補助ステップが安定して吊り下がることになる。【００３１】  前述したように、本発明に関わる梯子用補助ステップは、踏板１と、吊具２と、振止具３と、外止具４が、一体に組み付けられている。
したがって、本発明に関わる梯子用補助ステップは、使用者の手に渡る前に、一体に組み付けられていて、使用者がネジ止め、ボルトナット締めなどを行うなどして、組付ける必要はない。【００３２】  また、梯子用補助ステップを梯子に取り付ける際には、吊具２の頭部２１を、梯子の上に位置する踏み桟８２，８６に引っ掛け、また、振止具３を、下に位置する踏み桟８３，８７に跨がせるだけで、取り付けが一応完了である。次に、外止具３を後下方に回転移動することにより、踏み桟８２，８６を、頭部２１の逆Ｕ字形状と外止具４との間に封じこめることができる。したがって、本発明に関わる梯子用補助ステップは、梯子に取り付ける際にも、使用者が、ネジ止め、ボルトナット締めなどを行う必要はない。
以上のように、本発明に関わる梯子用補助ステップは、使用者によるネジ止め、ボルトナット締めが不要である。
したがって、使用者による、ネジ止め、ボルトナット締め時の締め忘れや、締め付け不十分が発生せず、使用時の安全性に不安がなく、作業を進めることができる。【００３３】  踏板１は、略長方形平面板部１１を有し、後方の左右に張出部１２を備えている。足部２２は、下端が踏板１の張出部１２に接合されている。また、足上部２２１が張出部１２方向に傾斜していて、足下部２２１が踏板１にほぼ直角を成して、下端が踏板１の張出部１２に接合されている。
踏板に足をかけて作業する場合に、足を掛けられる幅は、足部２２が踏板１の張出部１２に接合されている際まで利用できる。したがって、図１１に示すように、支柱間の内法寸法７６が狭い梯子であっても、内法寸法７６より広いスペースが確保できる。さらには、足部２２の足下部２２１が踏板１の張出部１２にほぼ直角を成しているほうが、より作業しやすい。
【図面の簡単な説明】
【００３４】
【図１】  本発明に係る梯子用補助ステップの背面図である。
【図２】  図１に示した梯子用補助ステップの下面図である。
【図３】  図１に示した梯子用補助ステップの上面図である。
【図４】  図１に示した梯子用補助ステップの側面図である。
【図５】  図４に示した梯子用補助ステップで、外止め金具を主とした部分を拡大した図である。
【図６】  図５に示した外止具を主とした部分の下面図である。
【図７】  図５に示した外金具を主とした部分の側面図である。
【図８】  図５に示した外金具の、回転状態を説明するための、一部破断面を含む図である。
【図９】  本発明に係る梯子用補助ステップの、踏み桟の間隔が小さい梯子への取付を説明する、側面図である。
【図１０】  本発明に係る梯子用補助ステップの、踏み桟の間隔が大きい梯子への取付を説明する、側面図である。
【図１１】  本発明に係る梯子用補助ステップを、支柱の間隔が小さい梯子に取り付けた上面図である。
【図１２】  本発明に係る梯子用補助ステップを、支柱の間隔が大きい梯子に取り付けた、上面図である。
【符号の説明】
【００３５】  １          踏板
２          吊具
３          振止具
４          外止具
１１        略長方形平面板部
１２        張出部
２１        頭部
２２        足部
３１        突起
３２        空間部
２２１      円弧形状部
２２２      延長部
２２３      Ｕ字空間部
【図１】
2010077788.tif 000003
【図２】
2010077788.tif 000004
【図３】
2010077788.tif 000005
【図４】
2010077788.tif 000006
【図５】
2010077788.tif 000007
【図６】
2010077788.tif 000008
【図７】
2010077788.tif 000009
【図８】
2010077788.tif 000010
【図９】
2010077788.tif 000011
【図１０】
2010077788.tif 000012
【図１１】
2010077788.tif 000013
【図１２】
2010077788.tif 000014